(57)【要約】【課題】物品に確実に付着し、物品の美観を損ねることのなく剥離され、容易に回収可能な一対のＲＦＩＤラベル作成具を得る。【解決手段】一対のＲＦＩＤラベル作成具は、ＲＦＩＤラベル１と合成樹脂フィルムラベル２からなる。ＲＦＩＤラベル１は、第１剥離紙１８の上に、基材シート１６と自己粘着性樹脂又は可洗粘着剤１７を積層した再貼着シート１５を貼り合せ、再貼着シート１５の上に、インレイ粘着剤１４を介して、インレイ１３を貼り合せ、その上に、表面基材粘着剤１２を介して表面基材１１を貼り合せた。合成樹脂フィルムラベル２は、第２剥離紙２３の上に合成樹脂フィルム粘着剤２２を介し表面が平滑な合成樹脂フィルム２１を貼り合せた。合成樹脂フィルム２とＲＦＩＤラベル１を重ね合わせると、合成樹脂フィルムの輪郭線４２はＲＦＩＤラベルの輪郭線４１の外側に位置する。【選択図】図１
0003120052.tif 000002
【実用新案登録請求の範囲】
【請求項１】
物品表面にＲＦＩＤラベルを貼り付けるために用いる一対のＲＦＩＤラベル作成具において、
前記一対のＲＦＩＤラベル作成具はＲＦＩＤラベルと合成樹脂フィルムラベルからなり、
前記ＲＦＩＤラベルは、第１剥離紙の上に、基材シートと自己粘着性樹脂又は可洗粘着剤を積層した再貼着シートの前記自己粘着性樹脂又は可洗粘着剤側を付着し、
前記再貼着シートの前記基材シートの上に、インレイ固着剤を介して、ＩＣチップとアンテナを有するインレイを付着し、
前記インレイの上に、表面基材固着剤を介して表面基材を付着したものであり、
前記合成樹脂フィルムラベルは、第２剥離紙の上に合成樹脂フィルム粘着剤を介して表面が平滑な合成樹脂フィルムを貼り合せたものであり、
前記合成樹脂フィルムと前記ＲＦＩＤラベルを重ね合わせると、前記合成樹脂フィルムの輪郭線は前記ＲＦＩＤラベルの輪郭線の外側に位置するものである、一対のＲＦＩＤラベル作成具。
【請求項２】
請求項１に記載した一対のＲＦＩＤラベル作成具において、
前記ＲＦＩＤラベルは、前記インレイの下面又は上面に、間隔シートが積層付着状態で介在し、前記間隔シートは貫通穴を有し、前記貫通穴に前記インレイのＩＣチップが受容されているＲＦＩＤラベルであることを特徴とする請求項１に記載した一対のＲＦＩＤラベル作成具。
【請求項３】
請求項１乃至２いずれかに記載した一対のＲＦＩＤラベル作成具において、
前記ＲＦＩＤラベルは、前記表面基材が熱記録方式のリライタブルマーキングシートであることを特徴とする請求項１乃至２いずれかに記載した一対のＲＦＩＤラベル作成具。
【請求項４】
請求項１乃至２いずれかに記載した一対のＲＦＩＤラベル作成具において、
前記ＲＦＩＤラベルは、前記表面基材が合成樹脂製の筆記層を有するシートであることを特徴とする請求項１乃至２いずれかに記載した一対のＲＦＩＤラベル作成具。
【考案の詳細な説明】
【技術分野】
【０００１】
本考案は、物品にＲＦＩＤラベルを付着した後に、ＲＦＩＤカードを剥離し、再度当該ＲＦＩＤラベルを別の物品に付着する手段である、一対のＲＦＩＤラベル作成具に関するものである。
【背景技術】
【０００２】
ＲＦＩＤは、ＩＣタグ、ＲＦタグ、無線タグ、電子タグなどとも呼ばれるもので、これを貼付された物などと、その物に関する情報とを一体化させる目的で使用される。インレイは、ＰＥＴなどの基材フィルム上にアンテナとアンテナに連結されたＩＣチップが固定されたＲＦＩＤの回路単位をいう。
【０００３】
従来、被配送物にＲＦＩＤ荷札を付着し被配送物を配送した後に、ＲＦＩＤ荷札を再度別の配送に使用するための、ＲＦＩＤ荷札と貼り付け用封筒から構成されるＲＦＩＤ配送表示セットが知られている（例えば特許文献１参照）。
【０００４】
【特許文献１】実登３２２０２６８号公報
【考案の開示】
【考案が解決しようとする課題】
【０００５】
不特定の場所に物品を配送する宅配便業などの場合には、ＲＦＩＤ荷札（ＲＦＩＤラベル）を再利用するためには、配送終了時にＲＦＩＤ荷札（ＲＦＩＤラベル）を回収することが好ましい。従来の貼り付け用封筒は、封筒を破ってＲＦＩＤラベルを取り出すものであり、当該取り出し後にも、配送物上に封筒が残り、配送物の美観を損ねるなどから、配送終了時にＲＦＩＤラベルを回収することに躊躇することがあった。
【０００６】
そこで、本考案は、配送物などの物品に確実に付着し、物品の美観を損ねることのなく剥離され、容易に回収可能な一対のＲＦＩＤラベル作成具を得ることを課題とする。
【０００７】
本考案のその他の課題は、本考案の説明により明らかになる。
【課題を解決するための手段】
【０００８】
本考案の一の態様にかかる一対のＲＦＩＤラベル作成具は、物品表面にＲＦＩＤラベルを貼り付けるために用いる一対のＲＦＩＤラベル作成具において、前記一対のＲＦＩＤラベル作成具はＲＦＩＤラベルと合成樹脂フィルムラベルからなり、前記ＲＦＩＤラベルは、第１剥離紙の上に、基材シートと自己粘着性樹脂又は可洗粘着剤を積層した再貼着シートの前記自己粘着性樹脂又は可洗粘着剤側を付着し、前記再貼着シートの前記基材シートの上に、インレイ固着剤を介して、ＩＣチップとアンテナを有するインレイを付着し、前記インレイの上に、表面基材固着剤を介して表面基材を付着したものであり、前記合成樹脂フィルムラベルは、第２剥離紙の上に合成樹脂フィルム粘着剤を介して表面が平滑な合成樹脂フィルムを貼り合せたものであり、前記合成樹脂フィルムと前記ＲＦＩＤラベルを重ね合わせると、前記合成樹脂フィルムの輪郭線は前記ＲＦＩＤラベルの輪郭線の外側に位置するものである。
【０００９】
本考案にかかる一対のＲＦＩＤラベル作成具は、物品表面に合成樹脂フィルムラベルを貼付け、当該合成樹脂フィルムに再貼着シート面を付着することにより、物品にＲＦＩＤラベルを再剥離可能に付着させるものである。
【００１０】
本考案の好ましい実施態様にかかる一対のＲＦＩＤラベル作成具は、本考案にかかる一対のＲＦＩＤラベル作成具において、前記ＲＦＩＤラベルは、前記インレイの下面又は上面に、間隔シートが積層付着状態で介在し、前記間隔シートは貫通穴を有し、前記貫通穴に前記インレイのＩＣチップが受容されているものであってもよい。
本実施態様によればインレイの表面から突出しているＩＣチップが間隔シートにより保護される。したがって、ＲＦＩＤカード使用時（例えば物品配送中）、物品からのＲＦＩＤラベル剥離時などに機械的衝撃に起因するＩＣチップの破損が防止されるＲＦＩＤラベルを含む一対のＲＦＩＤラベル作成具となる。
【００１１】
本考案の他の好ましい実施態様にかかる一対のＲＦＩＤラベル作成具は、本考案にかかる一対のＲＦＩＤラベル作成具において、前記ＲＦＩＤラベルは、前記表面基材が熱記録方式のリライタブルマーキングシート基材であってもよい。
本実施態様によればＲＦＩＤラベル表面基材の表示を容易に書き換えることが可能となり、より一層、回収、再利用に適したＲＦＩＤラベルを含む一対のＲＦＩＤラベル作成具となる。
【００１２】
本考案のその他の好ましい実施態様にかかる一対のＲＦＩＤラベル作成具は、本考案にかかる一対のＲＦＩＤラベル作成具において、前記ＲＦＩＤラベルは、前記表面基材が合成樹脂製の筆記層を有する基材であってもよい。
本実施態様によればＲＦＩＤラベル表面基材の表示を容易に書き換えることが可能となり、より一層、回収、再利用に適したＲＦＩＤラベルを含む一対のＲＦＩＤラベル作成具となる。
【００１３】
もっとも、本考案にかかる一対のＲＦＩＤラベル作成具において、前記ＲＦＩＤラベルは、その表面基材が紙、合成樹脂シートなどであってもよい。
【００１４】
以上説明した本考案、本考案の好ましい実施態様、これらに含まれる構成要素は可能な限り組み合わせて実施することができる。
【考案の効果】
【００１５】
本考案にかかる一対のＲＦＩＤラベル作成具を使用すれば、ダンボール箱など表面が粗面な物品であっても、合成樹脂フィルムラベルを介在して、再剥離可能な状態でＲＦＩＤラベルを付着することが可能となる。そして、当該ＲＦＩＤラベルを剥離した後に存置される合成樹脂ラベルは物品の表面に密着しているなどから、物品の美観を損ねることはない。同時に、ＲＦＩＤラベルは容易に再剥離と再付着が可能である。従って、本考案にかかる一対のＲＦＩＤラベル作成具は、物品に確実に付着し、物品の美観を損ねることなく剥離され、容易に回収可能で、再使用可能なＲＦＩＤラベルを得ることができる。
【考案を実施するための最良の形態】
【００１６】
以下、図面を参照して本考案の実施例にかかる一対のＲＦＩＤラベル作成具をさらに説明する。本考案の実施例に記載した部材や部分の寸法、材質、形状、その相対位置などは、とくに特定的な記載のない限りは、この考案の範囲をそれらのみに限定する趣旨のものではなく、単なる説明例にすぎない。
【００１７】
図１はＲＦＩＤラベル１の断面説明図であり、図２は合成樹脂フィルムラベル２の斜視説明図である。図１と図２は、理解と図示の容易化のために、厚さ方向を拡大して図示している。図３は合成樹脂フィルムラベル２とＲＦＩＤラベル１を重ね合わせた状態を示す平面図、図４は物品６の表面に合成樹脂フィルムラベル２とＲＦＩＤラベル１を付着する工程を示す説明図である。
【００１８】
一対のＲＦＩＤラベル作成具はＲＦＩＤラベル１と合成樹脂フィルムラベル２からなる。
【００１９】
図１を参照して、ＲＦＩＤラベル１は、第１剥離紙１８の上に、再貼着シート１５を付着している。再貼着シート１５は基材シート１６に自己粘着性樹脂又は可洗粘着剤１７を塗布したものである。再貼着シート１５の基材シート１６の上に、インレイ粘着剤１４を介して、ＩＣチップとアンテナを有するインレイ１３を貼り合せている。インレイ１３の上に、表面基材粘着剤１２を介して表面基材１１を貼り合せている。
【００２０】
ＲＦＩＤラベル１の製造においては、(1)表面基材１１と表面基材粘着剤１２をタックラベル状に作成し、(2)インレイ粘着剤１４を両面粘着シートとすることが好ましい。このようにすれば、インレイ１３の片面に当該タックラベルを付着し、他方面に両面粘着シートを付着し、続いて、再貼着シート１５を付着して、ＲＦＩＤラベル１を製造することができる。よって、製造過程において、インレイに、機械的、熱的負荷が加えられる可能性が減少し、好ましい。
【００２１】
しかし、ＲＦＩＤラベル１は、順次、構成物（表面基材やインレイなど）に固着剤を塗布、貼り付けることにより製造してもよい。また、インレイ粘着剤と表面基材粘着剤は、接着剤であってもよく、また、ホットメルト粘着剤やホットメルト接着剤であってもよい。
【００２２】
インレイ１３は再貼着シート１５、表面基材１１よりも一回り小さく、表面基材粘着剤１２とインレイ粘着剤１４は、周辺部分で接触している。
【００２３】
再貼着シート１５を構成する付着のための素材は、自己粘着性樹脂又は可洗粘着剤である。
【００２４】
自己粘着性樹脂とは、自着性樹脂とも呼ばれるものであり、自己密着性、表面弱粘着性を有する柔軟な樹脂を意味している。また、別の表現をすれば、当該樹脂をＲＦＩＤラベルの付着剤にした場合、被着体に粘着性と樹脂の柔軟性などにより容易に密着して貼着することができ、しかも、一旦貼着すると強固に被着体に密着しており、簡単な擦過等では容易には剥離しないが、当該樹脂層の端部から指などで捲くり剥がせば容易に剥離することができる機能を発現することができる樹脂を意味している。
【００２５】
自己粘着性樹脂としては、ポリオレフィンエラストマー、ポリエチレンエラストマー、ポリウレタンエラストマー、シリコン樹脂、ブチルゴム、軟質ポリ塩化ビニル、フッ素系樹脂等が挙げられる。このような自己粘着性樹脂は、ゴミ等が付着して自己粘着性が落ちたときは、水拭き等することにより自己粘着性を簡単に回復することができる利点がある。
【００２６】
可洗粘着剤の例として、ポリウレタン粘着剤組成物の成分として、分子内に芳香族環及びポリオキシアルキレン基を有する、ポリエーテルジオール及び／又はポリエステルジオールを主成分とするジオール成分と、ポリエーテルトリオールとを所定比率で配合したポリオール成分（Ａ）と、脂肪族又は脂環族ポリイソシアネート、またはそれらを用いた末端にイソシアネート基を有するプレポリマーから成るポリイソシアネート成分（Ｂ）とを使用する可洗粘着剤（特開２００３−２２１５７０号公報）を例示することができる。また、他の可洗粘着剤の例としては、(1)放射線硬化性樹脂と、(2)架橋構造を有するポリエチレングリコール化合物とからなり、放射線照射により反応して得られる重合物を主成分とする感圧性接着剤（特開平７−２２８８５８号公報）を例示することができる。
【００２７】
これら自己粘着性樹脂及び可洗粘着剤は、付着面が異物で汚染された場合は、水拭き等により洗浄して、付着力を回復することが可能であり、再使用ラベルの付着剤として好ましい。
【００２８】
再貼着シート１５を構成する基材シート１６は公知の合成樹脂フィルム（例えばポリエステルフィルム等）を使用することができる。
【００２９】
第１剥離紙１８は、従来の粘着ラベルに用いられている公知の剥離紙を使用することができ、また、合成樹脂シート（例えば、ポリエチレンシート、ポリエチレンテレフタレート（ＰＥＴ）シートなど）であってもよい。
【００３０】
インレイ１３は、樹脂フィルム（厚さ３８μｍのＰＥＴフィルム）上に接着剤を塗布し、アルミニウムを含むインキを用いてスクリーン印刷により渦巻き状のアンテナを形成し、さらに当該アンテナにＩＣチップを導電的に接続・固定したものである。インレイ１３は、上記基本的構成に、さらに片面及び／又は両面に、合成紙、ＥＶＡ、ＰＥＴシートなどが積層されていてもよい。インレイ１３はその他の材料、製造方法などで製造されたものでもよい。例えば、樹脂フィルムは、ポリイミドフィルム、ＰＢＴフィルムであってもよい。アンテナの形状は、例えばダイポールアンテナであってもよい。アンテナの材質は例えば、銅であってもよい。銅箔のアンテナは、樹脂フィルムの上に銅箔層を形成し、レジストを用いてエッチングにより形成してもよく、アンテナ形状の銅箔をプレスなどにより樹脂フィルム上に貼り付けてもよい。
【００３１】
表面基材１１は、特に制限はなく、熱記録方式のリライタブルマーキングシート基材、合成樹脂製の筆記層を有する基材、紙などが用いられる。これらの中で、文字などを記入、消去可能である観点から、熱記録方式のリライタブルマーキングシート基材、合成樹脂製の筆記層を有する基材が好ましい。
【００３２】
リライタブルマーキングの例として、無色のロイコ型染料と長鎖アルキル基を有する顕消色剤との可逆的な発色および消色反応を利用したロイコ染料を用いた発消色リライタブルマーキングや、高分子薄膜の中に脂肪酸微粒子を分散した透明白濁型リライタブルマーキングを挙げることができる。いずれも熱記録方式のためサーマルヘッドを用いて文字等を記録する。
【００３３】
合成樹脂製の筆記層を有する基材とは、いわゆるホワイトボードと称される水性又は油性のフェルトペン等で記入し、拭き取りにより消去できる筆記板の表面に設けられるシートを挙げることができる。このようなシートは、シラン系の熱硬化型樹脂やアクリル系の紫外線硬化型樹脂を硬化させて作ることができる。
【００３４】
図２を参照して、合成樹脂フィルムラベル２は、第２剥離紙２３の上に合成樹脂フィルム粘着剤２２を介して表面が平滑な合成樹脂フィルム２１を貼り合せたものである。
【００３５】
表面が平滑な合成樹脂フィルム２１とは、エンボス加工、微粒子含有加工などを行っていない、通常の合成樹脂フィルムを意味する。通常の合成樹脂フィルムは、自己粘着性樹脂又は可洗粘着剤が十分な付着力を発揮できる程度の表面平滑性を備えているからである。したがって、合成樹脂フィルム２１は市販の合成樹脂フィルムが使用でき、特別な平面平滑処理は不要である。合成樹脂としては、ポリエチレン、ポリプロピレン、ＰＥＴなどを例示することができる。これらは一軸、二軸延伸加工をしたものであってもよい。
【００３６】
第２剥離紙２３は、従来の粘着ラベルに用いられている公知の剥離紙を使用することができる。
【００３７】
図３を参照して、合成樹脂フィルムラベル２とＲＦＩＤラベル１を重ね合わせると、合成樹脂フィルムラベルの輪郭線４２はＲＦＩＤラベルの輪郭線４１の外側に位置する。図３は合成樹脂フィルムラベル２からは第２剥離紙２３を取り除いた状態であり、ＲＦＩＤラベル１からは第１剥離紙１８を取り除いた状態を図示している。再貼着シート１５の付着状態は、その全面が付着している場合に一定の剥離に対する抵抗力を発揮するものであり、外周部分に自由端が存在すると当該抵抗力が低下する。このため、再貼着シート１５の全面が合成樹脂フィルムシートに付着することが必要であり、上述した輪郭線の関係が必要となる。
【００３８】
図４を参照して、一対のＲＦＩＤラベル作成具の使用方法を説明する。合成樹脂フィルムラベル２から、第２剥離紙２３を取り除き、露出する合成樹脂フィルム粘着剤２２により合成樹脂フィルム２１を物品６の表面に貼り付ける。次に、ＲＦＩＤラベル１から、第１剥離紙１８を取り除き、露出する自己粘着性樹脂又は可洗粘着剤によりＲＦＩＤラベルを合成樹脂フィルム２１の表面に付着する。当該付着工程を矢印５１で示している。
【００３９】
ＲＦＩＤラベルを物品６に付着させて、例えば物品の配送が行われる。ＲＦＩＤラベルは、擦過などの表面に平行な力には強く抵抗して付着を継続する。ＲＦＩＤラベルの用が済めば、ＲＦＩＤラベルの周囲を持ち上げることにより付着が解除され、ＲＦＩＤラベルが回収される。必要に応じて、自己粘着性樹脂又は可洗粘着剤を水拭きなどにより清浄にして、さらに、必要に応じて表面基材１１の記入文字などを書き換えて、次の付着用途に使用することができる。
【００４０】
図５は、再貼着シート１５とインレイ１３の間に間隔シート３１を介在させたＲＦＩＤラベルの部分説明図である。
【００４１】
インレイ１３は、アンテナ１３２とＩＣチップ１３１を有している。ＩＣチップ１３１はインレイ１３の下側表面から下方に突出している。間隔シート３１は貫通穴３３を有している。間隔シート３１の上面には粘着剤（接着剤でもよい）が塗布されており、矢印５２に示すようにインレイ１３と間隔シート３１は、重ね合わせて貼付けられる。
【００４２】
間隔シート３１と粘着剤はタックラベル状に作成することができる。このようにすれば、表面基材タックラベル、両面粘着シートなどと共に、インレイ１３に貼付け加工することにより、ＲＦＩＤラベルを製造することが出来、好ましい。
【００４３】
矢印５３で、貫通穴３３にＩＣチップ１３１が受容されることを示している。間隔シート３１の下面には、インレイ粘着剤１４が位置する。このようにして、間隔シート３１は、積層体であるＲＦＩＤラベル１中の再貼着シート１５の上に貼り付けられる。
【００４４】
以上、間隔シート３１がインレイ１３の下面に積層付着状態で介在する実施例を説明したが、間隔シート３１がインレイ１３の上面に積層付着状態で介在してもよい。この場合には、ＩＣチップ１３１はインレイ１３の上側表面から上方に突出する配置となる。
【産業上の利用可能性】
【００４５】
本考案にかかる一対のＲＦＩＤラベル作成具は、たとえば、宅配便などの被配送物品や倉庫などにある保管品にＲＦＩＤ標識を付着する手段として利用することができる。
【図面の簡単な説明】
【００４６】
【図１】ＲＦＩＤラベル１の断面説明図である。
【図２】合成樹脂フィルムラベル２の斜視説明図である。
【図３】合成樹脂フィルムラベル２とＲＦＩＤラベル１を重ね合わせた状態を示す平面図である。
【図４】物品６の表面に合成樹脂フィルムラベル２とＲＦＩＤラベル１を付着する工程を示す説明図である。
【図５】再貼着シート１５とインレイ１３の間に間隔シート３１を介在させたＲＦＩＤラベルの部分説明図である。
【符号の説明】
【００４７】
１    ＲＦＩＤラベル
２    合成樹脂フィルムラベル
６    物品
１１    表面基材
１２    表面基材粘着剤
１３    インレイ
１４    インレイ粘着剤
１５    再貼着シート
１６    基材シート
１７    自己粘着性樹脂／可洗粘着剤
１８    第１剥離紙
２１    合成樹脂フィルム
２２    合成樹脂フィルム粘着剤
２３    第２剥離紙
３１    間隔シート
３３    貫通穴
４１    ＲＦＩＤラベルの輪郭線
４２    合成樹脂フィルムの輪郭線
１３１    ＩＣチップ
１３２    アンテナ
【図１】
0003120052.tif 000003
【図２】
0003120052.tif 000004
【図３】
0003120052.tif 000005
【図４】
0003120052.tif 000006
【図５】
0003120052.tif 000007